(57)【要約】【課題】屋内及び屋外の両方において物品の収納スペースを多くできる住宅を提供すること。【解決手段】バルコニー２に面したリビング１の床全体をバルコニー２と共に床上げして床下スペース４を形成し、この床下スペース４をリビング１の床下に設けた仕切り壁５によって区分し、仕切り壁５より屋外側の床下スペース４に屋外に通じる物品収納スペース４ａを設けると共に、仕切り壁５より屋内側の床下スペース４に屋内から物品を出し入れ可能な物品収納室４ｂを設けた。【選択図】図２
0003151675.tif 000002
【実用新案登録請求の範囲】
【請求項１】
バルコニーに面したリビングの床全体をバルコニーと共に床上げして床下スペースを形成し、この床下スペースをリビングの床下に設けた仕切り壁によって区分し、仕切り壁より屋外側の床下スペースに屋外に通じる物品収納スペースを設けると共に、仕切り壁より屋内側の床下スペースに屋内から物品を出し入れ可能な物品収納室を設けた住宅。
【請求項２】
リビングに隣接させてロフトを設けた請求項１に記載の住宅。
【請求項３】
木製の縦柱を使用しており、各縦柱に１層の横架材を架け渡した請求項１又は２に記載の住宅。
【請求項４】
基礎の立ち上がりの上端面レベルを住宅本体の床仕上げ面レベルより高くした請求項１又は２に記載の住宅。
【請求項５】
１階と２階とを同一の間取りによって積み重ね、２階建ての集合住宅とした請求項１〜４のいずれかに記載の住宅。
【考案の詳細な説明】
【技術分野】
【０００１】
本考案は、物品を収納するスペースを多くした住宅に関する。
【背景技術】
【０００２】
住宅において物品の収納スペースを多くするため、先に本願出願人は、リビングの床全体を床上げして床下全体に物品収納室を形成することを特許文献１にて提案した。
【０００３】
これにより、リビングの床下全体を物品の収納スペースとして活用でき、物品の収納スペースを多くすることができる。
【０００４】
しかし、この特許文献１の物品収納室は屋内に設けられるので、屋外に置かれる自転車やバイク等の物品を収納するスペースとしては使用できなかった。
【先行技術文献】
【特許文献】
【０００５】
【特許文献１】実用新案登録第３１１０７０７号公報
【考案の概要】
【考案が解決しようとする課題】
【０００６】
本考案が解決しようとする課題は、屋内及び屋外の両方において物品の収納スペースを多くできる住宅を提供することにある。
【課題を解決するための手段】
【０００７】
本考案に係る住宅は、バルコニーに面したリビングの床全体をバルコニーと共に床上げして床下スペースを形成し、この床下スペースをリビングの床下に設けた仕切り壁によって区分し、仕切り壁より屋外側の床下スペースに屋外に通じる物品収納スペースを設けると共に、仕切り壁より屋内側の床下スペースに屋内から物品を出し入れ可能な物品収納室を設けたことを特徴とするものである。
【０００８】
このように、屋外に通じる物品収納スペース及び屋内から物品を出し入れ可能な物品収納室の両方を設けることで、屋内及び屋外の両方において物品の収納スペースを多くできる。
【０００９】
本考案において、屋内の物品の収納スペースをより多くしたい場合、あるいは屋内の居住空間を多層的に利用したい場合には、リビングに隣接させてロフトを設けることができる。
【００１０】
本考案では、リビングの床全体をバルコニーと共に床上げするため、リビングにおいて快適な居住空間を形成するには、通常の住宅よりもその全体高さを高くする必要がある。これを木製の縦柱を使用した木造建築によって実現しようとすると、従来よりも太い縦柱を使用する必要があり、コストアップを招く。
【００１１】
このコストアップを軽減するため、本考案では各縦柱に１層の横架材を架け渡すようにする。横架材を使用することで、縦柱の太さを小さくすることができる。
【００１２】
また、基礎の立ち上がりの上端面レベルを住宅本体の床仕上げ面レベルより高くすることによっても、縦柱の太さを細くすることができる。縦柱は基礎の立ち上がりに土台を介して設置され、従来は土台の上面レベルが住宅本体の床仕上げ面レベルと同じになるようにしていたが、基礎の立ち上がりの上端面レベルを住宅本体の床仕上げ面レベルより高くすることで、縦柱の長さを短くでき、結果として縦柱の太さを細くすることができる。
【００１３】
本考案に係る住宅は２階建ての集合住宅として好適に利用できる。この場合、１階と２階とを同一の間取りによって積み重ねることが好ましい。このようにすると、２階のリビングとその下方の１階のリビングとの間に、２階のリビングの床下スペースが位置することになるので、この床下スペースが遮音効果を発揮し、２階のリビングの騒音が１階のリビングに伝わりにくくなる。
【考案の効果】
【００１４】
本考案によれば、屋内及び屋外の両方において物品の収納スペースを多くできる。
【図面の簡単な説明】
【００１５】
【図１】本考案に係る住宅の一実施例を示す平面図である。
【図２】図１のＡ−Ａ断面図である。
【図３】図１のＡ−Ａ断面によるパース図である。
【図４】図１のＢ−Ｂ断面図である。
【図５】本考案に係る住宅の基礎の別形態を示す説明図である。
【考案を実施するための形態】
【００１６】
以下、図面に示す実施例に基づき、本考案の実施の形態を説明する。
【００１７】
図１は本考案に係る住宅の一実施例を示す平面図、図２は図１のＡ−Ａ断面図、図３は図１のＡ−Ａ断面によるパース図、図４は図１のＢ−Ｂ断面図である。
【００１８】
図１〜４に示す実施例は、１階と２階とを同一の間取りによって積み重ね、２階建ての木造集合住宅としたものである。
【００１９】
リビング１はバルコニー２に面しており、バルコニー２の隣にはキッチンスペース３がリビング１と連続して設けられている。そして、リビング１の床全体がバルコニー２及びキッチンスペース３と共に床上げされ、床下スペース４が形成されている。
【００２０】
床下スペース４はリビング１の床下に設けた仕切り壁５によって屋内部分と屋外に連通する部分とに区分され、仕切り壁５より屋外側の床下スペース４に屋外に通じる物品収納スペース４ａを設けられ、仕切り壁５より屋内側の床下スペース４に屋内から物品を出し入れ可能な物品収納室４ｂが設けられている。
【００２１】
物品収納スペース４ａは、バイクや自転車などの屋外に置かれる物品を屋外から出し入れ可能に収納するスペースである。したがって、２階部分において物品収納スペース４ａを使用しない場合は、その物品収納スペース４ａを密閉してデッドスペースとしてもよい。また、物品収納スペース４ａを屋内から物品を出し入れ可能として、物品収納室４ｂと同様に使用してもよい。
【００２２】
物品収納室４ｂは、屋内に置かれる物品を収納するスペースであって、洋服を掛けて置くこともできる。これらの物品は出入口６を介して物品収納室４ｂに出入りさせる。出入口６は玄関７に通じる階段８の横に設けられている。
【００２３】
本実施例では、図１に示すように床下スペース４の屋内部分に仕切り壁９を設けて、その仕切り壁９に囲まれた部分を物品収納室４ｂとしているが、床下スペース４の屋内部分の全体を物品収納室４ｂとしてもよい。また、上述の仕切り壁５を設けずに、仕切り壁９よりも屋外側を物品収納スペース４ａとしてもよい。
【００２４】
また、本実施例ではリビング１に隣接させてロフト１０を設けている。これによって、本実施例の住宅は、ロフト１０の層、リビング１の層及び床下スペース４の層の３層構造となっている。また、本実施例では、リビング１とロフト１０の天井はいずれもほぼ水平面であって、その段差は１５０ｍｍであり、しかもリビング１とロフト１０の段差を８００ｍｍとしてロフト１０の天井高さを１４００ｍｍとしているので、リビング１とロフト１０の天井が一体的に見えて、天井に広がり感のある快適な居住空間を提供できるようにしている。ロフト１０の下方には、浴室１１、洗面室１２及びトイレ１３が配置されている。
【００２５】
本実施例の住宅は１階及び２階において上述のような間取りを有し、１階と２階とを同一の間取りによって積み重ねている。したがって、２階のリビング１とその下方の１階のリビング１との間に、２階のリビング１の床下スペース４が位置することになるので、この床下スペース４が遮音効果を発揮し、２階のリビング１の騒音が１階のリビング１に伝わりにくくなる。
【００２６】
また、本実施例の住宅は木造であり、木製の縦柱１４を使用している。そして、本実施例では、縦柱１４の太さを細くできるように、各縦柱１４に１層の横架材１５ａ，１５ｂを架け渡している。横架材１５ａは図１の斜線部分に架け渡たされ、横架材１５ｂはその他の部分架け渡たされている。
【００２７】
なお、本実施例の住宅の基礎１６は従来一般的なものであり、その立ち上がり１６ａに土台１７を介して縦柱１４を設置し、土台１７の上面レベルが住宅本体の床仕上げ面レベルＦＬと同じになるようにしている。
【００２８】
図５は、本考案に係る住宅の基礎の別形態を示す説明図である。図５に示す基礎１６においては、その立ち上がり１６ａの上端面レベルが住宅本体の床仕上げ面レベルＦＬより高くなるようにしている。これによって、縦柱１４の長さを短くでき、先に説明した横架材１５ａ，１５ｂを使用しなくても、縦柱１４の太さを細くすることができる。
【符号の説明】
【００２９】
１  リビング
２  バルコニー
３  キッチンスペース
４  床下スペース
４ａ  物品収納室
４ｂ  物品収納スペース
５  仕切り壁
６  出入口
７  玄関
８  階段
９  仕切り壁
１０  ロフト
１１  浴室
１２  洗面室
１３  トイレ
１４  縦柱
１５ａ，１５ｂ  横架材
１６  基礎
１６ａ  立ち上がり
１７  土台
ＦＬ  床仕上げ面レベル
【図１】
0003151675.tif 000003
【図２】
0003151675.tif 000004
【図３】
0003151675.tif 000005
【図４】
0003151675.tif 000006
【図５】
0003151675.tif 000007